(57)【特許請求の範囲】
【請求項１】
着用者の鼻と口とを覆うマスク本体と該マスク本体を着用者に装着する装着部とを含むマスクに取り付けられるマスクカバーであって、着用者の鼻と口とを覆ったマスク本体を外面側から覆い、且つ、着用者の少なくとも目と鼻と口を含む領域を覆うように、上下方向に連続して形成されるシート状の本体部と、着用者の顔の幅方向における前記本体部の両端部のそれぞれに、前記本体部の厚み方向で重ねられて前記本体部の端部との間に前記装着部を挟むように構成された被覆部とを備え、
前記本体部は、上端を形成する上端縁と、該上端縁の各隅部から幅方向外側に傾斜する上辺部と、を備え、
前記被覆部は、着用者の顔に相当する上下方向において、前記本体部の端部の上下方向の長さよりも短く設定され、且つ前記本体部の端部の下端部に寄せられ、前記上辺部の下端から下方へ延びる曲げ部を介して前記本体部に連設され、該曲げ部で折り返すことで前記本体部の端部に重ねられるよう構成されており、しかも、前記上辺部の下端に連続して、該上辺部と同様の傾斜で幅方向外側に傾斜する被覆上辺部を備えることを特徴とするマスクカバー。
【請求項２】
前記本体部及び前記被覆部のうち少なくとも一方には、前記本体部の前記厚み方向の内面側から外面側へ挿通されて、マスクの装着部を挿通するための貫通孔が形成され、前記被覆部は、前記本体部の前記幅方向における端縁に連設されると共に、前記本体部の端部に重なるようにして、マスクの一部を挟むように構成されている請求項１に記載のマスクカバー。
【発明の詳細な説明】
【技術分野】
【０００１】
本発明は、着用者の鼻と口とを覆うマスクを外面側から覆うマスクカバーに関する。
【背景技術】
【０００２】
従来、不織布で形成された使い捨てマスクが公知である（特許文献１参照）。このマスクは、着用者の鼻や口を覆う本体と、着用者の耳に掛ける環状部と、を含んでいる。環状部は、本体よりも高伸縮性の不織布により形成されている。これにより、マスクの装着時に環状部がよく伸びるため、このマスクの着用感は良好となっている。
【先行技術文献】
【特許文献】
【０００３】
【特許文献１】特開平７−２７５３８４号公報
【発明の概要】
【発明が解決しようとする課題】
【０００４】
ところで、着用者が前記マスクを装着していても、飛沫が、マスクの本体を通過したり、マスクの本体の外周部と着用者の顔面との間に生じる隙間から通過したりすることがある。そのため、着用者が咳やくしゃみをすると、飛沫はマスクの外側に出るおそれがあり、着用者の周囲にいる人が咳やくしゃみをすると、飛沫はマスクの内側に入るおそれがある。
【０００５】
そこで、本発明は、マスクに取り付けられるマスクカバーであって、マスクの着用者による飛沫がマスクの外側に出ることを抑えると共に、外部からの飛沫がマスクの内側に入ることを抑え、しかも装着性が良好なマスクカバーを提供することを目的とする。
【課題を解決するための手段】
【０００６】
本発明は、着用者の鼻と口とを覆うマスクに取り付けるマスクカバーであって、着用者の鼻と口とを覆ったマスクを外面側から覆うシート状の本体部と、着用者の顔の幅方向における前記本体部の両端部のそれぞれに、前記本体部の厚み方向で重ねられて前記本体部の端部との間にマスクの一部を挟むように構成された被覆部とを備え、前記被覆部は、着用者の顔に相当する上下方向において、前記本体部の端部の上下方向の長さよりも短く設定され、且つ前記本体部の端部の下端側に寄せられたことを特徴とする。
【０００７】
かかる構成によれば、左右の被覆部と本体部の左右両端部とがマスクの一部（例えば、マスクの左右の紐）をそれぞれ挟んだ状態で、マスクカバーの本体部がマスクの外側に取り付けられるため、マスクカバーの装着時における着用者において、マスクからマスクカバーが脱落しにくく、着用者からの飛沫は、マスクカバーの本体部に遮られてマスクカバーの外部に出にくい。また、マスクカバーの外部から着用者に向かう、他者からの飛沫はマスクカバーの本体部に遮られるため、着用者が飛沫を吸い込むことを抑えることができる。被覆部は、本体部の端部よりも上下方向の長さが短く構成され、且つ本体部の幅方向の端部に対して下端側に寄せた配置であるため、本体部と被覆部とを重ねることで、マスクカバーの下側でマスクの一部を挟み、着用者の顔の丸みに沿わせるようにして、マスクカバーに丸みを持たせることがでるから、マスクカバーの上側までしっかりと自立させることができ、よって、マスクカバーの装着性が良好となる。
【０００８】
本発明は、前記本体部及び前記被覆部のうち少なくとも一方には、前記本体部の前記厚み方向の内面側から外面側へ挿通されて、マスクの装着部を挿通するための貫通孔が形成され、前記被覆部は、前記本体部の前記幅方向における端縁に連設されると共に、前記本体部の端部に重なるようにして、マスクの一部を挟むように構成された構成を採用できる。
【０００９】
かかる構成によれば、各被覆部が本体部の各端部に対して重なるから、本体部における幅方向の両端部において、マスクカバーの取り付け時における剛性を確保すると共に、マスクカバーの外側に引き出されたマスクの装着部を用いて、マスクカバーが取り付けられたマスクを装着することができる。
【発明の効果】
【００１０】
本発明によれば、マスクに取り付けられるマスクカバーであって、マスクの着用者による飛沫がマスクの外側に出ることを抑えると共に、外部からの飛沫がマスクの内側に入ることを抑える、しかも装着性が良好なマスクカバーを提供することができる。
【図面の簡単な説明】
【００１１】
【図１】図１は、本実施形態に係るマスクカバーの模式図であって、マスクカバーを取り付けたマスクの着用時を示す模式図である。
【図２】図２は、マスクが取り付けられていないマスクカバーの正面図である。
【図３】図３は、マスクが取り付けられたマスクカバーの取り付けを説明するための模式図であり、マスクの一部を貫通孔に挿入した状態の模式図である。
【図４】図４は、図３におけるＹ−Ｙ線断面矢視図である。
【図５】図５は、マスクが取り付けられたマスクカバーの取り付けを説明するための模式図であり、マスクの一部をマスクカバーに固定した模式図である。
【図６】図６は、変形例に係るマスクカバーの模式図である。
【図７】図７は、変形例に係るマスクカバーの模式図である。
【図８】図８は、変形例に係るマスクカバーの要部断面図である。
【図９】図９は、変形例に係るマスクカバーの要部断面図である。
【発明を実施するための形態】
【００１２】
以下、本発明の実施形態について、図１〜図９を参照しつつ説明する。まず、図１ないし図５に基づいて、一実施形態を説明する。図１に示すように、マスクカバー１は、着用者Ｐの鼻と口とを覆うマスク９に取り付けられる。
【００１３】
マスクカバー１が取り付けられるマスク９は、例えば、不織布製のマスク、布マスク等である。マスク９は、例えば、着用者Ｐの鼻と口とを覆うマスク本体９１と、着用者Ｐの頭に装着される装着部９２とを有する。なお、マスク９は耳に掛けるタイプや頭部に掛けるタイプを含むものとする。本実施形態では、装着部９２は、耳掛け可能にマスク本体９１の左右に一対形成される。この場合、マスク９の装着部９２は、マスク本体９１の幅方向における端部から延び、着用者Ｐの耳に巻き付ける帯状の紐部に形成される。
【００１４】
図１及び図２に示すように、マスクカバー１は、マスク９（図１のマスク本体９１）を外面側から覆うシート状の本体部２と、着用者Ｐの顔の幅方向における本体部２の両端部２０のそれぞれに、本体部２の厚み方向で重ねられる被覆部３とを備える。また、本実施形態のマスクカバー１は、被覆部３と本体部２の端部２０（具体的には、本体部２の被覆部３との重なり部分）とを接続する接続部４を備える。
【００１５】
以下の説明では、マスクカバー１の内側は使用時に着用者Ｐの顔と対向する側であり、マスクカバー１の外側は内側の反対側であると特定する。よって、マスクカバー１の内外方向は、本体部２の厚み方向である（図２における紙面に垂直な方向である）。マスクカバー１の上側は、着用者Ｐの頭側であり、マスクカバー１の下側は、着用者Ｐの足側と特定する。即ち、マスクカバー１の上側、下側は、図２における上側、下側である。さらに、マスクカバー１の幅方向は、マスクカバー１の着用者Ｐの顔の幅方向と特定する。即ち、マスクカバー１の幅方向は、図２における左右方向である。
【００１６】
マスクカバー１は、例えば平面視において、隅部をＲ状に切除した略８角形シートである。マスクカバー１は透明のシートであり、例えば、無色透明のシートである。また、マスクカバー１は左右対称形状である。
【００１７】
以下に、本体部２の構成を具体的に説明する。本体部２は平面視において、上端縁２４及び下端縁２５が平行な直線とされる。また、各上端縁２４の各隅部から下方に至る辺は、幅方向外側に向けて傾斜する上辺部２４aとされ、各下端縁２５の各隅部から上方に至る辺は、幅方向外側に向けて傾斜する下辺部２５aとされている。上辺部２４aの下端と下辺部２５aの上端は、それぞれ仮想の曲げ部１１とされ、この両曲げ部１１は、後述する被覆部３を折り曲げる線分とされている。即ち、曲げ部１１は、本体部２と被覆部３との間（境界）に配置されている。また、前記上辺部２４aと、下辺部２５aの傾斜の相違は、上辺部２４aの方が下辺部２５aに比べて急峻である。
【００１８】
各曲げ部１１には、図１及び図３で示すマスク９の装着部９２を、本体部２の厚み方向の内面側から外面側へ挿通される貫通孔２１が形成されている。貫通孔２１は、例えば、上下方向に延びるスリット状である。本実施形態では、貫通孔２１は、曲げ部１１の下寄り、即ち、本体部２の下寄りに形成されている。
【００１９】
本体部２の端部２０は、本体部２の幅方向における、それぞれの両側に位置している。端部２０は、後述するように、本体部２の厚み方向で、被覆部３が重ねられる領域である。
【００２０】
このようにして、図１に示すように、本体部２は、マスク９（マスク本体９１）の外面側を覆い、且つ着用者Ｐにおいては、少なくとも鼻と、口と、目とを含む領域を覆うように、上下、左右方向に延びている。また、本体部２は、着用者Ｐの顎から、両方の目までを連続して覆うように延びている。また、本体部２は、着用者Ｐのこめかみや頬を覆うように延びている。本実施形態では、本体部２は、着用者Ｐの顔面全体、即ち、上下方向は顎から額まで、左右方向は左右のもみあげ付近までを覆うように構成されている。
【００２１】
図２に示すように、前記被覆部３は、曲げ部１１の延長上に形成され、本体部２の下側寄りに配置されている。被覆部３は、例えば、本体部２と同じ材質を用いて、本体部２と一体的に形成されている。また、被覆部３は、本体部２の端部２０との間にマスク９の一部を挟むように構成されている。被覆部３は、本体部２の一方の端部２０と他方の端部２０とに、それぞれ１つ、厚み方向において重ねられることが可能とされている。換言すると、被覆部３は、本体部２の幅方向における曲げ部１１に連設されると共に、本体部２の端部２０に重なるように曲げ部１１を介して折り返されることが可能とされて、マスク９の一部（マスク９の装着部９２）を挟むように構成され、図３に示すように、被覆部３の内面３０が本体部２の端部２０の内面２２０と重なるように、曲げ部１１を介して折り返すことが可能とされている。
【００２２】
本実施形態では、被覆部３の上下方向の長さが、本体部２の端部（曲げ部１１）の上下方向の長さよりも短い。被覆部３は、着用者Ｐの顔に相当する上下方向において、本体部２の上下方向の長さよりも短く設定されており、且つ本体部２の端部の下端側に寄せられている。また、被覆部３は、本体部２と一体に形成されている。これらの構成により、被覆部３は、本体部２の端縁から外方へ延設された延設部とされている。
【００２３】
さらに詳しく、被覆部３の形状を説明する。本実施形態では、図２及び図３に示すように、被覆部３は、曲げ部１１を本体部２と共通とすると共に、幅方向外側に向けて傾斜する被覆上辺部２４ｂと、幅方向外側に向けて傾斜する被覆下辺部２５ｂと、被覆上辺部２４ｂと被覆下辺部２５ｂとを連続する中間辺部３０aとから形成されている。
【００２４】
各被覆上辺部２４ｂの傾斜は、上辺部２４aと同様であり、各被覆下辺部２５ｂの傾斜は、下辺部２５aと同様である。被覆上辺部２４ｂの下端と被覆下辺部２５ｂの上端は、上下方向に沿った中間辺部３０aによって連続されている。また、各被覆部３は、各曲げ部１１を共通として、略台形形状とされている。
【００２５】
本体部２及び被覆部３が上記のように形成されることで、マスクカバー１は、左右対称に形成されている。また、本体部２及び被覆部３が上記のように形成されることで、マスクカバー１では、上下方向の寸法が、幅方向の寸法よりも小さく形成されている。
【００２６】
次に、図３及び図４に基づいて、被覆部３が備えた接続部４について説明する。接続部４は、被覆部３と本体部２の端部２０との間にマスク９の一部（例えば、マスク９の装着部９２）を挟んだ状態で、被覆部３と本体部２の端部２０とを接続するように構成されている。これにより、接続部４は、マスク９の一部をマスクカバー１に対して固定できる。接続部４は、本体部２と被覆部３との重なり部分、具体的には被覆部３の主面（例えば、被覆部３の内面３０）と端部２０の主面（例えば、端部２０の内面２２０）とを接続する。
【００２７】
接続部４は、接着剤であり、被覆部３の内面３０に設けられている。接続部４は、各被覆部３の左右方向途中部で、上下方向に亘って帯状に形成されている。接続部４は、被覆部３の左右方向途中部で、被覆上辺部２４ｂ及び被覆下辺部２５ｂに亘るように、上下方向に沿って連続して一体的に形成されている。接続部４は、図４に示すように、マスクカバー１のマスク９への取り付け前の状態では、例えば、剥離紙５により覆われている。剥離紙５は、接続部４の幅方向を覆うのに充分な幅を備えており、被覆上辺部２４ｂ、被覆下辺部２５ｂ及び中間辺部３０aに沿った形状に形成されている。
【００２８】
ところで、マスクカバー１（本体部２及び被覆部３）の厚みｔは、２０μｍ〜１００μｍである。具体的には、マスクカバー１（本体部２及び被覆部３）の厚みｔは、４０μｍ〜７０μｍが好ましい。マスクカバー１の厚みｔがこのような範囲である場合、マスクカバー１にコシが出るので、マスクカバー１の取り付け時に、マスクカバー１が自立した状態（上下方向に延びた状態）が維持され易い。特に、マスクカバー１（本体部２）の厚みが、４０μｍ〜７０μｍであると、コシと着用者Ｐの顔面の形状への追従性とを両立できるので、好ましい。マスクカバー１の厚みが２０μｍより薄くなると、コシがなくなるため自立状態を維持しにくく、１００μｍより厚くなると、着用時に顔面の形状に沿った形状になりにくい。なお、本実施形態のマスクカバー１の厚みは、均一であるが、不均一であってもよい。
【００２９】
マスクカバー１は、非透水性、抗菌性、耐候性、及び、防曇性の少なくとも一つを有することが好ましい。マスクカバー１が非透水性を有する場合、マスクカバー１は飛沫を通さない。また、マスクカバー１が抗菌性を有する場合、マスクカバー１に細菌が付着したとしても、この細菌が繁殖しにくい。マスクカバー１の材質が耐候性を有する場合、マスクカバー１は、気候条件の厳しい環境（例えば、屋外や紫外線が強い窓際等）で使用されたとしても、劣化しにくい。また、マスクカバー１が防曇性等を有する場合、例えばマスクカバー１を取り付けたマスク９を着用して温度差のある場所に移動しても、マスクカバー１が曇りにくい。
【００３０】
本実施形態の場合、マスクカバー１は、樹脂製のフィルムである。マスクカバー１を構成する樹脂製のフィルムは、ＯＰＰ（二軸延伸ポリプロピレンフィルム）とされる。なお、樹脂製のフィルムは、二軸延伸ポリアミドフィルム等であってもよい。また、樹脂製のフィルムは、複数の層で構成されたフィルム、例えば、多層ラミネートフィルムであってもよい。
【００３１】
このようなマスクカバー１をマスク９に取り付ける際には、次のような手順で行う。即ち、図３、図５に示すように、（１）本体部２にマスク９を重ねる。（２）マスク９の装着部９２を貫通孔２１に挿通する。（３）剥離紙５を除去する。（４）被覆部３を折り返す。
【００３２】
例えば、（１）について、図３に示すように、貫通孔２１は、本体部２の下寄りに形成されているため、マスク本体９１が本体部２の下寄りに重なるよう配置されることが好ましい。（２）について、貫通孔２１を着用者Ｐの手指で開けるようにして、装着部９２を挿通する。具体的には、装着部９２を本体部２の内面側から被覆部３の外面側に亘るように貫通孔２１に挿通する。（３）について、図４で示すように、剥離紙５は、着用者Ｐの手指で剥がすように除去される。（４）について、図５に示すように、被覆部３を、本体部２の端部２０の一部に重なるように曲げ部１１で折り返す。これにより、マスク９の装着部９２を被覆部３と端部２０との間に挟んだ状態で固定する。
【００３３】
前述のように、被覆部３は、本体部２の端部２０の下側寄りに配置されているから、ここで言う、本体部２の端部２０の前記一部とは、本体部２の下側寄りを意味する。そして、本実施形態のマスクカバー１では、被覆部３は、本体部２の幅方向における曲げ部１１が頂点となるように、曲げ部１１を介して折り返される。
【００３４】
以上のマスクカバー１では、一対の被覆部３と本体部２の端部２０とがマスク９の一部（例えば、マスク９の装着部９２）を挟んだ状態で、マスクカバー１の本体部２がマスク９の外側に取り付けられるため（図１参照）、マスクカバー１からマスク９が脱落しにくい。そして、着用者Ｐからの飛沫は、マスクカバー１の本体部２に遮られてマスクカバー１の外部に出にくい。また、マスクカバー１の外部から着用者Ｐに向かう飛沫はマスクカバー１の本体部２に遮られるため、着用者Ｐが飛沫を吸い込むことを抑えることができる。
【００３５】
本実施形態のマスクカバー１では、マスク９への取り付け状態において、接続部４は、本体部２の各端部２０と各被覆部３とがマスク９の一部（例えば、マスク９の装着部９２）を挟み込んだ状態を保持する。そのため、マスクカバー１のマスク９に対する位置ずれが抑えられる。
【００３６】
また、本実施形態のマスクカバー１では、各被覆部３が本体部２の各端部２０に対して重なるように折り返されることにより、本体部２における幅方向の両端部２０において取り付け時におけるマスクカバー１の剛性を確保するとともに、マスクカバー１の外側に引き出されたマスク９の装着部９２を用いて、マスクカバー１が取り付けられたマスク９を装着することができる。
【００３７】
本実施形態のマスクカバー１では、マスクカバー１の本体部２が着用者Ｐの目を覆うように延びているため、マスクカバー１の外部から飛沫が着用者Ｐの目に向かっても本体部２に遮られるため、着用者Ｐの目に飛沫が入ることを抑えることができる。さらに、本実施形態のマスクカバー１では、本体部２が着用者Ｐのこめかみや頬を覆うように延びているため、着用者Ｐの側方から飛沫が着用者Ｐに向かっても本体部２に遮られるため、着用者Ｐの目、鼻、口に飛沫が届くことを抑えることができる。
【００３８】
しかも、図５に示すように、被覆部３は、幅方向外側に向けて傾斜する被覆上辺部２４ｂと、幅方向外側に向けて傾斜する被覆下辺部２５ｂと、被覆上辺部２４ｂと被覆下辺部２５ｂとを連続する中間辺部３０aとから形成されて、本体部２の端部（この場合、曲げ部１１）よりも上下方向の長さが短く構成されている。このため、曲げ部１１を軸に本体部２に対して折り返し易い。そして、被覆部３は、本体部２の幅方向の端部に対して下端側に寄せた配置である。このため、本体部２と被覆部３とを重ねることで、マスクカバー１の下側でマスク９の装着部９２を挟み、着用者Ｐの顔の丸みに沿わせるようにすることができ、しかも、マスクカバー１に丸みを持たせることがでるから、マスクカバー１の上側までしっかりと自立させることができ、したがって、マスクカバーの装着性が良好となる。また、被覆部３が本体部２に重なることで厚みが増して自立形状を保持しやすくなる。さらに、被覆部３を曲げ部１１で折り返しているため、この曲げ部１１のコシによって自立形状を保持しやすくなる。
【００３９】
本発明のマスクカバーは、上記実施形態に限定されるものではなく、本発明の要旨を逸脱しない範囲内において種々変更を加え得る。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４０】
上記実施形態のマスクカバー１では、八つの角部を備えていた。しかしながら、上辺部２４a及び被覆上辺部２４ｂは急峻な円弧状に形成され、下辺部２５a及び被覆下辺部２５ｂは緩やかな円弧状に形成されていてもよい。また、中間辺部３０aも円弧状に形成することもできる。つまり、被覆部３の外縁形状を曲線状に形成することもできる。
【００４１】
上記実施形態のマスクカバー１では、八つの角部を備えていた。しかしながら、マスクカバー１では、図６に示すような形状が考えられる。図６のマスクカバー１では、本体部２の上部に、略直角に交差する角部δが形成され、本体部２の両端辺２Ａの途中に、上記実施形態と同様の被覆部３が連設される。即ち被覆部３は、急峻な傾斜の被覆上辺部２４ｂと、緩やかな傾斜の被覆下辺部２５ｂとを有している。そして、被覆上辺部２４ｂは、端辺２Ａの下側に、該端辺２Ａに対して幅方向外側に屈曲するように連続している。被覆下辺部２５ｂは、本体部２における下辺部２５aと同様の傾斜である。また、被覆部３の内面３０に接続部４が設けられ、本体部２の端部２０の内面２２０と重なるように、曲げ部１１を介して折り返すことが可能である。なお、本体部２の両端辺２Ａ（本体部の端部）と、曲げ部１１は同一線上にある。また、曲げ部１１に沿うように、上記実施形態と同様の貫通孔２１が形成されている。
【００４２】
本実施形態によれば、被覆部３は、被覆上辺部２４ｂと、被覆下辺部２５ｂと、中間辺部３０aとから形成されて、本体部２の端部（この場合、曲げ部１１）よりも上下方向の長さが短く構成されている。このため、曲げ部１１を軸に本体部２に対して折り返し易い。そして、被覆部３は、本体部２の幅方向の端部に対して下端側に寄せた配置である。このため、本体部２と被覆部３とを重ねることで、マスクカバー１の下側でマスク９の装着部９２を挟み、着用者Ｐの顔の丸みに沿わせるようにすることができ、しかも、マスクカバー１に丸みを持たせることがでるから、マスクカバー１の上側まで確りと自立させることができ、したがって、マスクカバーの装着性が良好となる。
【００４３】
図６のマスクカバー１では、下辺部２５aを有していたが、各端辺２Ａが上下方向に沿う形状とすることもできる。すなわち、本体部２は、左右方向の長さが上下方向よりも長い略矩形に形成されると共に、各被覆部３は、本体部２の端辺２Ａの下寄りに一体形成した構成とすることもできる。
【００４４】
上記実施形態のマスクカバー１では、接続部４は、上下方向において連続して設けられていたが、図７に示すように、上下方向において隙間をあけて（間欠的に）設けられてもよい。また、接続部４は、上下方向以外の方向に亘って設けられてもよい。例えば、接続部４は、幅方向（左右方向）に亘って設けられたり、斜め方向に延びるように設けられたり、或いは左右に蛇行するように設けられたりすることが考えられる。なお、図７では、剥離紙５は切除したものを表している。
【００４５】
上記実施形態のマスクカバー１では、接続部４は、被覆部３に設けられていたが、被覆部３及び本体部２の少なくとも一方に設けられていればよい。本体部２に設ける場合、接続部４は、本体部２の端部における内面に設けられ、本体部２の端部２０の内面と被覆部３の内面とを接続することになる。なお、接続部４を本体部２の端部に設ける場合では、例えば、剥離紙５を除去し、本体部２の内面にマスク９を配置し、マスク９の装着部９２を貫通孔２１に挿通する。これによって、マスク９（装着部９２）を本体部２に仮止めができ、続いて、曲げ部１１を軸に、被覆部３を折り返すようにして、本体部２にマスク９を装着することができる。このとき、被覆部３は、曲げ部１１に連設されているから、被覆部３の内面が本体部２の端部２０の内面と重なるように折り返される。
【００４６】
接続部４は、接着剤に限らず、例えば、ファスナー（点ファスナー、線ファスナー、面ファスナー）や粘着剤等であってもよい。接続部４がファスナーである場合、本体部２にはファスナーを構成する一方の部材（例えば、オス部材）が設けられ、被覆部３には他方の部材（例えば、メス部材）が設けられることが考えられる。接続部４が粘着剤である場合、例えば、シリコン製の粘着シートであることが考えられる。
【００４７】
上記実施形態のマスクカバー１は、接続部４を備えていたが、図８に示すように、接続部４を設けず、本体部２と被覆部３とをマスクカバー１の厚み方向で重ね合わせた構成であってもよい。本実施形態のマスクカバー１の場合、曲げ部１１が折曲されて、被覆部３が本体部２の幅方向の一部に重ね合わされる。本実施形態では、マスクカバー１の製造工程において、マスクカバー１を形成することができる。具体的には、曲げ部１１を加熱や加圧することで、本体部２と被覆部３とが、曲げ部１１に折り癖がついた状態で隙間を介して（非接続の状態で）厚み方向で重ねられる。そして、貫通孔２１は、本体部２に形成されることが考えられる。本実施形態の場合では、着用者Ｐが、本体部２と被覆部３との間の前記隙間を広げて、マスク９の装着部９２を貫通孔２１に挿入することができる。マスクカバー１は、樹脂製のフィルムであるから、本体部２と被覆部３との間の隙間を広げ易い。
【００４８】
なお、上記実施形態では、貫通孔２１は、上下方向に延びるスリット状に形成されていたが、本実施形態の場合では、曲げ部１１で折り返されるから、着用者Ｐがマスク９の装着部９２を貫通孔２１に通し易くするために、本体部２あるいは被覆部３側へ広げることも考えられる。または、本体部２あるいは被覆部３側へ広げることもあり得るが、スリット状の貫通孔２１の上下方向（長手方向）の両端に丸孔を組み合わせて形成することもできる。
【００４９】
上記実施形態のマスクカバー１では、被覆部３は、本体部２の幅方向における曲げ部１１が頂点となるような曲げ部１１を介して折り返されていたが、この曲げ部１１を折り目として折り返されてもよい。例えば、本体部２の幅方向における曲げ部１１に予めハーフカット加工等を施しておき、折り目を介して折り返してもよい。
【００５０】
上記実施形態のマスクカバー１では、本体部２と被覆部３とは一体であった。しかしながら、図９に示すように、本体部２と被覆部３とは別体であってもよい。この場合、被覆部３は、本体部２の材質と別の材質（例えば、不織布）で構成されることが考えられる。本実施形態の場合でも、接続部４は、本体部２あるいは被覆部３に設けることができ、貫通孔２１は、本体部２あるいは被覆部３に形成することができる。図９の場合では、例えば、被覆部３に接続部４が設けられ、接続部４が剥離紙５で覆われており、また、本体部２に貫通孔２１が形成される。そして、マスク９の装着部９２を貫通孔２１に通してから、被覆部３側の剥離紙５を取除いて、本体部２に被覆部３を取り付ける。別例として図では示さないが、本体部２に接続部４が設けられ、接続部４よりも本体部２の端部側に貫通孔２１が形成されている場合では、マスク９の装着部９２を貫通孔２１に通すことで、マスク９の仮止めができる。
【００５１】
なお、マスクカバー１において、本体部２は、少なくとも着用者Ｐの鼻と口とを含む領域を覆っていればよく、目を覆っていなくてもよい。また、各実施形態におけるマスクカバー１の角部の角度はＲ状に形成することもできる。
【００５２】
上記実施形態のマスクカバー１では、耳に掛けるタイプのマスク９で説明したが、マスク９は、頭部に掛けるタイプであってもよい。
【符号の説明】
【００５３】
１…マスクカバー、２…本体部、３…被覆部、４…接続部、５…剥離紙、９…マスク、１０…角部、１１…曲げ部、２０…端部、２１…貫通孔、２２…内面、２３…外面、２４…上端縁、２５…下端縁、２４a…上辺部、２４ｂ…被覆上辺部、２５ａ…下辺部、２５ｂ…被覆下辺部、３０…内面、３０…中間辺部、９１…マスク本体、９２…装着部、２２０…内面、Ｐ…着用者
【要約】      （修正有）【課題】マスクの着用者による飛沫がマスクの外側に出ることを抑えると共に、外部からの飛沫がマスクの内側に入ることを抑え、しかも装着性が良好なマスクカバーを提供する。【解決手段】着用者Ｐの鼻と口とを覆うマスク９に取り付けるマスクカバー１であって、着用者Ｐの鼻と口とを覆ったマスク９を外面側から覆うシート状の本体部２と、着用者Ｐの顔の幅方向における本体部２の両端部のそれぞれに、本体部２の厚み方向で重ねられて本体部２の端部との間にマスク９の一部を挟むように構成された被覆部３とを備え、被覆部３は、着用者Ｐの顔に相当する上下方向において、本体部２の端部の上下方向の長さよりも短く設定され、且つ本体部２の端部の下端側に寄せられたマスクカバー１。【選択図】図１【図１】
0006928979.tif 000002
【図２】
0006928979.tif 000003
【図３】
0006928979.tif 000004
【図４】
0006928979.tif 000005
【図５】
0006928979.tif 000006
【図６】
0006928979.tif 000007
【図７】
0006928979.tif 000008
【図８】
0006928979.tif 000009
【図９】
0006928979.tif 000010